【事件の表示】
　特願２００２−　９５４６９「表示制御システムおよびエディタプログラムを記録した記録媒体」拒絶査定不服審判事件〔平成１５年１０月１７日出願公開、特開２００３−２９５９９６〕について、次のとおり審決する。
【結　論】
　本件審判の請求は、成り立たない。
【理　由】
１．手続の経緯・本願発明
　本願は平成１４年３月２９日の出願であって平成１８年８月３０日付けで拒絶査定がなされ、これに対して平成１８年１０月５日に拒絶査定に対する審判が請求されたものである。
　そしてその請求項１に係る発明は平成１８年６月１６日付け手続補正書により補正された明細書及び図面の記載からみて、特許請求の範囲の請求項１に記載された事項により特定される次のとおりのもの（以下「本願発明」という。）である。
「画像を含む画面を表示するための表示部と、
　デバイスの状態を取得して該表示部に表示するとともに、該デバイスへの制御指示を与えるために、上記表示部上での入力を受入れ可能にしたタッチパネルと、
　該タッチパネルへの特定の入力を可能にするキーボードを上記画面上に表示させるとともに、上記画像を上記キーボードに対して所定の透過率で透過表示させるキーボード表示手段と、
　上記画面を作成するエディタとを備える表示制御システムにおいて、
　上記エディタは、上記透過率を設定するための設定用画面を備えてなり、
　該設定用画面と上記画面とを同時に表示することを特徴とする表示制御システム。」
　
２．引用刊行物
　これに対して原査定の拒絶の理由に引用された、本願の出願日前に頒布された刊行物「特開平７−６０１３号公報」（以下、「引用刊行物」という。）には図面とともに以下の記載がある。
「【特許請求の範囲】
【請求項１】  制御監視対象プラントを表示装置に模式的に表示してプラント監視を行なうプラント監視装置において、
前記表示装置に表示する監視画像データを格納するイメージメモリにソフトウェアキーボード画像データの格納領域を設け、前記監視画像データの１画面分を前記表示装置に表示する時にスクロール操作によって前記ソフトウェアキーボードを表示できるように前記監視画像データに当該ソフトウェアキーボード画像データを付加するキーボード画像付加手段を設けて成るプラント監視装置。
【請求項２】  制御監視対象プラントを表示装置に模式的に表示してプラント監視を行なうプラント監視装置において、
前記表示装置に表示する監視画像データを格納するイメージメモリにソフトウェアキーボード画像データの格納領域を設け、前記監視画像データの１画面分を前記表示装置に表示する時に外部からの表示要求に応答して前記ソフトウェアキーボード画像を前記表示装置に論理的な透過色によって表示するキーボード表示処理手段を設けて成るプラント監視装置。」（第２頁）
　
「【０００１】
【産業上の利用分野】この発明はソフトウェアキーボード表示機能を備えたプラント監視装置に関する。
【０００２】
【従来の技術】一般にプラント監視装置は、表示装置としてのＣＲＴディスプレイと、入力装置としてのタッチスクリーン、キーボードおよびマウスと、制御演算処理を行なう中央処理装置を有する本体とから構成され、ＣＲＴディスプレイに表示されるプラント情報を参照してタッチスクリーン、キーボードあるいはマウスを操作してプラントを操作するものである。
【０００３】ここでタッチスクリーンおよびマウスは主にＣＲＴディスプレイに表示されている画面情報の操作を行なうために使用され、キーボードは主に表示されている画面を別の画面に展開し、あるいは文字を入力するために使用される。ところが、キーボードのキーの数には制限があり、あるいはキーボードが故障した場合の予備のために、一般にＣＲＴディスプレイ上にソフトウェアによるキーボードを表示し、タッチスクリーンによってキーボード機能を代用するソフトウェアキーボード機能を備えたプラント監視装置が出現するようになってきている。
【０００４】図６はこのようなソフトウェアキーボードを備えたプラント監視装置の従来例の構成を示している。この図６に示す従来のプラント監視装置は、ＣＲＴディスプレイ１、このＣＲＴディスプレイ１の表示を制御する表示コントローラ２、プラント監視全体を制御するメインコントローラ３、ＣＲＴディスプレイ１に設けられたタッチスクリーン４、キーボード入力を制御するキーボードコントローラ５、通常のハードウェアキーボードとしての文字キーボード６ａおよび展開キーボード６ｂ、そして表示コントローラ２を通してＣＲＴディスプレイ１に表示させる画像データを格納するイメージデータメモリ７から構成されている。」（第２頁）
　
「【００１３】またこの発明は、ソフトウェアキーボードを表示しても元のプラント監視画面が見えなくなることがないプラント監視装置を提供することを目的とする。」（第３頁）
　
「【００１９】
【実施例】以下、この発明の実施例を図に基づいて詳説する。図１は請求項１の発明の一実施例の構成を示している。図１に示す実施例のプラント監視装置は、図６に示した従来例のプラント監視装置と構成要素を共通にしているが、特に表示コントローラ２、メインコントローラ３、キーボードコントローラ５およびイメージメモリ７の機能に異なった特徴を備えている。
【００２０】すなわち、タッチスクリーン４、文字キーボード６ａまたは展開キーボード６ｂからスクロール指示入力があれば、キーボードコントローラ５はスクロール指示信号１５を表示コントローラ２に与え、表示コントローラ２はこのスクロール指示信号１５を受けてイメージメモリ７に格納しているプラント監視画面の表示位置を変更することによってＣＲＴディスプレイ１上の画像をスクロールさせ、ソフトウェアキーボード画像を表示したり、通常のプラント監視画面を表示する機能を備えている。そして図２に示すように、表示コントローラ２に内蔵されているイメージメモリ７はＣＲＴディスプレイ１の全領域に表示可能な容量を持つ通常表示メモリ１６と、ソフトウェアキーボード格納メモリ１７とにより構成されており、このイメージメモリ７の画像イメージのうち、ＣＲＴディスプレイ１に収まらない余分な画像イメージはＣＲＴディスプレイ１に表示されないが、イメージメモリ７内の表示位置を変更することによってＣＲＴディスプレイ１上にスクロールさせて表示することができるようになっている。」（第３〜４頁）
　
「【００２４】この通常のプラント監視画面の表示処理では、図２（ａ）に示すようにイメージメモリ７の中のプラント監視画面のイメージメモリ１６の画像データ１３がＣＲＴディスプレイ１に表示されることになる。
【００２５】ここでソフトウェアキーボードを使用する必要が生じた場合、オペレータがソフトウェアキーボードを表示させるためにタッチスクリーン４、キーボード６ａあるいはキーボード６ｂを使用して左方向へのスクロール指示入力を行なうと、キーボードコントローラ５から表示コントローラ２にスクロール指示信号１５を送信する（ステップＳ２１，Ｓ２２，Ｓ２４）。そして表示コントローラ２はスクロール指示信号１５を受けて（ステップＳ２５，Ｓ２６）、自身のイメージメモリ７の表示位置を図２（ｂ）に示すよう左側のソフトウェアキーボードイメージメモリ１７に変更し、ＣＲＴディスプレイ１にはソフトウェアキーボード１４の画像が表示されるようになる（ステップＳ３４，Ｓ３５）。
【００２６】こうして、オペレータはＣＲＴディスプレイ１上に表示されるようになったソフトウェアキーボード１４の画像に対してタッチ操作することにより、キーボード入力の代用を行なうことができるようになる。
【００２７】ソフトウェアキーボード１４の表示が不要になれば、オペレータが表示画面の右方向へのスクロール指示入力をタッチスクリーン４、文字キーボード６ａまたは画面展開キーボード６ｂを使用して行なうと、この場合にもキーボードコントローラ５がスクロール指示入力を判断し（ステップＳ２１，Ｓ２２）、表示コントローラ２に右方向へのスクロール指示信号１０を送信する（ステップＳ２３）。そこで表示コントローラ２はこのスクロール指示信号１０を受信して（ステップＳ２５，Ｓ２６）、自身のイメージメモリ７の表示位置を図２（ａ）に示すよう右側のプラント監視画面のイメージメモリ１６に変更し、ＣＲＴディスプレイ１に元のプラント監視画面１３を表示させることができるようになる（ステップＳ３４，Ｓ３５）。」（第４頁）
　
「【００３２】ここでオペレータがソフトウェアキーボードの表示要求をタッチスクリーン４、キーボード６ａあるいはキーボード６ｂを使用して行なうと、キーボードコントローラ５から表示コントローラ２にソフトウェアキーボード表示要求の入力データ９ａを送信し、表示コントローラ２はメインコントローラ３にその入力データ９ｂを送信し（ステップＳ１〜Ｓ６）、メインコントローラ３がソフトウェアキーボード画面を選択し（ステップＳ７，Ｓ８）、これを表示するための描画コマンド１０を表示コントローラ２に送信し（ステップＳ１１，Ｓ１２）、表示コントローラ２がキーボード描画コマンド１０にしたがってイメージメモリ７にソフトウェアキーボードの画像データを書き込み、またＣＲＴディスプレイ１に出力してＣＲＴディスプレイ１にキーボード画像を表示させる（ステップＳ１３〜Ｓ１５）。
【００３３】ただしこの時のＣＲＴディスプレイ１の表示画面の表示内容は図５（ａ），（ｂ）に示すように変化する。すなわち、まず同図（ａ）に示すように通常のプラント監視画面１３に対して、同図（ｂ）に示すようにその前側にソフトウェアキーボード画面１８が表示されるようになるが、このソフトウェアキーボード画面１８は背景色や塗りつぶし色が論理的な透過色であり、また枠線や文字が破線表示であるために、背景画面となる元のプラント監視画面１３がソフトウェアキーボード画面１８を通して見ることができ、ソフトウェアキーボード表示中に背景のプラント監視画面上で何らかの変化が起こって操作が必要になれば、その変化を視認することができ、直ちにソフトウェアキーボード１８の表示を上記と同じ処理手順によって消去し、図５（ａ）に示す元のプラント監視画面１３に戻して必要な操作を行なうことができるようになる。」（第５頁）
　
　これら引用刊行物の記載から、引用刊行物には以下の発明（以下、「引用発明」という。）が記載されているものと認められる。
「タッチスクリーンを有するＣＲＴディスプレイと、メインコントローラと、表示コントローラとを有し、ＣＲＴディスプレイに表示される監視画像データを参照してタッチスクリーン、キーボード、ソフトウェアキーボード等によりプラントを監視し操作するプラント監視装置であって、表示コントローラは、表示された監視画像データ上に、オペレータの指示によりソフトウェアキーボードを透過色、波線で表示させる、プラント監視装置。」
　
３．対比
　本願発明と引用発明を対比すると、
　引用発明の「監視画像」、「ＣＲＴディスプレイ」、及び「タッチスクリーン」は、それぞれ、本願発明の「画像」、「表示部」、及び「タッチパネル」に相当する。
　また、引用発明において表示コントローラは監視画像データ上に「ソフトウェアキーボード」を透過色、波線で表示されるから、引用発明の「ソフトウェアキーボード」は、本願発明の透過表示される「キーボード」に相当し、引用発明の「表示コントローラ」は、本願発明の「キーボード表示手段」に相当し、引用発明において当該キーボード（ソフトウェアキーボード）は所定の透過率で透過表示されているということができる。
　また、引用発明には、プラントを監視し操作するプラント監視装置が記載されているが、プラントが「デバイス」から構成され、プラント監視装置により各デバイスが監視され操作されることは当然のことであるから、引用発明のプラント監視装置もデバイスの状態を取得して表示部（ＣＲＴディスプレイ）に表示し、表示部上のタッチパネル（タッチスクリーン）への入力によりデバイスへの制御指示を与えているということができる。
　そして、引用発明の表示部と、タッチパネルと、キーボード表示手段（表示コントローラ）とを有する「プラント監視装置」は、本願発明の表示部と、タッチパネルと、キーボード表示手段を備える「表示制御システム」に相当する。
　
　したがって、両者は
「画像を含む画面を表示するための表示部と、
　デバイスの状態を取得して該表示部に表示するとともに、該デバイスへの制御指示を与えるために、上記表示部上での入力を受入れ可能にしたタッチパネルと、
　該タッチパネルへの特定の入力を可能にするキーボードを上記画面上に表示させるとともに、上記画像を上記キーボードに対して所定の透過率で透過表示させるキーボード表示手段と、
　を備える表示制御システム。」の点で一致し、以下の点で相違する。
　
相違点１
　本願発明は透過表示を行うについて透過率を設定しているのに対して、引用発明には透過率を設定することについては記載がない点。
　
相違点２
　本願発明の表示制御システムは、画面を作成するエディタを備え 、エディタは、透過率を設定するための設定用画面を備え、該設定用画面と上記画面とを同時に表示するのに対して、引用発明にはエディタについて記載がない点。
　
４．当審の判断
　以下、上記相違点について検討する。
相違点１について
　一般にディスプレイに透過表示を行う場合に透過率の設定を可能とすることは、特開平６−３０１５０５号公報（段落【００３１】〜【００３４】、ウインドウを透過表示する場合にα値（透過率）をウインドウに設けたスライダ・バーにより変更して設定することが記載されいてる。）、原査定において周知文献として示された特開平４−２１６１２４号公報（段落【０００８】、透過率を調整自在とすることが記載されている。）に記載されているように周知であるから、引用発明において透過表示を行うについて上記周知技術を適用して透過率を設定可能とすることは当業者が適宜になし得ることである。
　
相違点２について
　表示制御システムにおいて画面を作成し、設定を行うエディタを設け、画面と設定用画面とを同時に表示することは、特開２００１−２６６１７１号公報（従来の技術を記載した段落【０００６】〜【０００９】、図６、には表示制御システムのエディタの作画領域１１０に編集対象オブジェクト１１１ａを表示し、当該オブジェクトをクリックすることにより、当該オブジェクトの属性値を編集する画面１２０を同時に表示することが記載され、更に、発明の実施の形態を記載した段落【００４６】〜【００５０】、【００５２】〜【００５６】、【００６２】〜【００６３】、【００７９】〜【００８０】、図２、図４、には、表示制御システムのエディタの作業領域２０に表示されたオブジェクト２１ａをクリックすると、当該オブジェクトの属性（線種、線幅等）が編集可能な状態で表示されることが記載されている。）に記載されているように周知である。
　そうすると、引用発明の表示制御システムにおいて、上記周知の、画面を作成し、画面と設定画面を同時に表示して設定を行うディタを設け、透過率を該設定画面で設定するようにして相違点２に係る本願発明のように構成することは当業者が容易になし得ることである。
　
　そして、本願発明のように構成したことによる効果も引用発明及び周知技術から予想できる程度のものであって、格別のものではない。
　
５．むすび
　以上のとおり、本願発明（請求項１に係る発明）は、引用発明及び周知技術に基づいて当業者が容易に発明をすることができたものであるので、特許法第２９条第２項の規定により特許を受けることができない。
　したがって、本願は、その余の請求項について論及するまでもなく、拒絶すべきものである。
　
　よって、結論のとおり審決する。